(57)【特許請求の範囲】
【請求項１】
円筒形の鋼菅からなるパチンコ球揚送筒を下部に剛性フレームを設けることにより鉛直に支持し、該揚送筒の上部外周に三角形状の支持板を放射状に固着するとともに該支持板上に棚板を該揚送筒の周囲に略均等に張り出すように水平に固着し、該棚板上に水平に支持される上部タンクは、縦長立方形の箱体の内部に一対の仕切を両側縁に向けて下傾する山形に張設することにより貯留室を形成し該貯留室の下部に一対の床板を中央線に向けて下傾する谷形に張設することにより溢出室を形成するとともに該貯留室には上端部前面に溢出口が開設され下端部が前記仕切板を貫通して前記溢出室内の中央線上に開口する溢出筒を鉛直に設けてなり、前記揚送筒の上端開口部の周囲には該上端開口部から排出されたパチンコ球と研磨ペレットとを分別するスノコを設けてなるフィルタ装置を設け、該フィルタ装置に該スノコ上を通過したパチンコ球を前記貯留室の真中に流落させる球落下部を形成することにより前記貯留室にパチンコ球が前記揚送筒を中心とする周囲に満遍なく分散して貯留されるようにし、かつ、前記溢出室の底部中心位置に形成された流出口にオーバーフロー管を連接し、該オーバーフロー管を前記棚板に開設された透孔に貫通させ、前記溢出筒を通って前記溢出室に流落したパチンコ球が該オーバーフロー管を通し下方に誘導されるようにしたことを特徴とするパチンコ球揚送装置。
【発明の詳細な説明】
【技術分野】
【０００１】
本発明は、遊技場のパチンコ島台内に設けられ、パチンコ球を上部タンクに揚送するパチンコ球揚送装置に関するものである。
【背景技術】
【０００２】
多数のパチンコ機を並設してなるパチンコ遊技場のパチンコ島台は、周知のように内部に貯留タンクが設けられ、各パチンコ機から排出されたパチンコ球が球回収樋を通して該貯留タンクに集められ、該貯留タンクに溜まったパチンコ球は該島台内に設けられたパチンコ球揚送装置によって上部タンクに揚送され、該パチンコ球が該上部タンクから球供給樋を通して各パチンコ機に供給されるようにしている。
【０００３】
なお、特許文献１に示されたパチンコ球揚送装置は、パチンコ球と研磨ペレットとを合流させて揚送装置により揚送することで、パチンコ球の汚れを該研磨ペレットに付着させ、揚送と同時に該パチンコ球が研磨されるようにしたものである。
また、特許文献２に示されたパチンコ球揚送装置は、揚送筒の下部を円弧状に湾曲させることにより、パチンコ球を該揚送筒の下部先端開口から流入させる構成である。
【先行技術文献】
【特許文献】
【０００４】
【特許文献１】特許第２６１０１６４号公報
【特許文献２】特許第３７３９４２６号公報
【発明の概要】
【発明が解決しようとする課題】
【０００５】
ところで、前記上部タンクは、パチンコ球を多数のパチンコ機に絶え間なく供給し得るようにするために常時多数のパチンコ球（通常一つの島台で３万個）を貯留し得るような大きさであって、該上部タンク内に貯留されるパチンコ球の総重量は数十キロにもなるが、従来では該上部タンクは島台を構成する梁や柱によって支持されるようにしていた。このため、島台の梁や柱をこの重量に耐え得るような頑強に構成したり、上部タンクを支持する部分を補強する必要が出てくるので、島台の築造コストを上昇させるとともに工事期間も長くなるといった問題があった。
本発明はこれらの問題点を解消しようとするものである。
【課題を解決するための手段】
【０００６】
そのために本発明に係るパチンコ球揚送装置は、鉛直に支持されたパチンコ球揚送筒の上部外周に棚部材を該揚送筒の周囲に略均等に張り出すように固設し、上部タンクを該棚部材上に支持し、前記揚送筒により揚送されたパチンコ球が前記上部タンク内であって前記揚送筒を中心とする周囲に満遍なく分散して貯留されるようにしたことを特徴とする。
このため、上部タンクが常に揚送筒によって支持され、島台に過大な重量負荷が掛からない。
また、本発明は上記パチンコ球揚送装置において、上部タンクの底部中心位置に流出口を形成し、該流出口に連接されたオーバーフロー管を前記棚部材に開設された透孔に貫通させ、上部タンク内にパチンコ球が満杯に貯留されたとき該パチンコ球が下方に設けられた貯留タンクに誘導されるようにしたことを特徴とする。
このように棚部材にオーバーフロー管を貫通させることにより、パチンコ球の荷重が片寄ることなく常に揚送筒によって支持される。
【発明の効果】
【０００７】
本発明によれば、上部タンクの荷重が揚送筒によって受けられるので、島台に過大な重量負荷を掛けない。このため島台を従来のように上部タンクのために格別補強する必要がなくなり、島台の築造コストを軽減させるとともに、所要工事期間を短縮し得る。
【図面の簡単な説明】
【０００８】
【図１】本発明に係るパチンコ球揚送装置および貯留タンクの正面図。
【図２】本発明に係るパチンコ球揚送装置の斜視図。
【図３】本発明に係るパチンコ球揚送装置の揚送筒下部の縦断面図。
【図４】図３のＢ−Ｂ線断面図。
【図５】図４のＣ−Ｃ線断面図。
【図６】本発明に係るパチンコ球揚送装置の上部タンクの部分断面斜視図。
【図７】図６のＤ−Ｄ線断面矢視図。
【図８】図６のＥ−Ｅ線断面矢視図。
【図９】図６のＦ−Ｆ線断面矢視図。
【図１０】図６のＧ−Ｇ線断面矢視図。
【図１１】図６のＨ−Ｈ線断面矢視図。
【図１２】本発明に係るパチンコ球揚送装置の上部タンクを支持する棚部材と揚送筒上部の斜視図。
【発明を実施するための形態】
【０００９】
本発明に係るパチンコ球揚送装置は、多数のパチンコ機が並設されるパチンコ島台の内部に設置されるもので、図１に示したように、パチンコ球揚送装置１の両側に貯留タンク２ａ，２ｂが配設され、パチンコ島台の各パチンコ機から排出された多数のパチンコ球が該貯留タンク２ａ，２ｂに貯留される。そして、該貯留タンク２ａ，２ｂに貯留されたパチンコ球は、傾斜樋３ａ，３ｂを通して該パチンコ球揚送装置１に移送され、該パチンコ球揚送装置１の揚送筒４を通して上部タンク５に揚送され貯留される。上部タンク５に貯留されたパチンコ球はさらに該上部タンク５から傾斜樋６ａ，６ｂを通して該パチンコ島台の各パチンコ機に供給される。
【００１０】
前記揚送筒４は、図３〜図７に示したように円筒形の鋼菅からなるもので、図１，図２に示したように該揚送筒４の下部に剛性フレーム７が設けられ、該剛性フレーム７によって鉛直に支持される。該揚送筒４内には図３に示したように螺旋状回転体８が設けられ、該螺旋状回転体８の上端部に後述する回転駆動部が設けられる。また、該揚送筒４の下部一側に底板１０上に固設された横送筒９が連接され、該横送筒９の端部にモータ１１の減速機１２が固設され、該減速機１２の回転出力軸１３に固着された螺旋状回転体１４が該横送筒９内に収容され、該モータ１１の動力により該螺旋状回転体１４が回転駆動されるようにしている。
【００１１】
また、図４，図５に示したように、前記横送筒９の両脇部に流込筺１５ａ，１５ｂを設け、該流込筺１５ａ，１５ｂと横送筒９とを連通状にするとともに、前記貯留タンク２ａ，２ｂと該流込筺１５ａ，１５ｂとを前記傾斜樋３ａ，３ｂによって連通し、パチンコ球ｔが該流込筺１５ａ，１５ｂに導かれるようにしている。なお、図１に示したように該傾斜樋３ａ，３ｂには電動シャッター１６ａ，１６ｂが設けられる。また、該流込筺１５ａ，１５ｂの上面開口に異物除去用のスノコ１７ａ，１７ｂが設けられる。
【００１２】
また、横送筒９の上壁面に開口１９を形成し、該開口上にペレットタンク２０を設け、該ペレットタンク２０から該開口１９を通り該横送筒９中に研磨ペレットｐが流入するようにしている。なお、角筒状のペレット戻管２１が前記揚送筒４の一側に鉛直に支持され、該ペレット戻管２１の下端部が該ペレットタンク２０に連通している。該ペレット戻管２１の内壁面には該ペレット戻管２１内を落下する研摩ペレットｐの落下速度を低減させるために相対するように邪魔板２１ａ，２１ｂが設けられている。
また、前記揚送筒４の前側に円筒状のオーバーフロー管２２が鉛直に支持され、該オーバーフロー管２２の下端部は図１に示したように変向ボックス２３および傾斜樋２３ａを介して前記貯留タンク２ａに連通させている。なお、２４は集塵ボックス、２５は該集塵ボックス２４にホース２６によって繋がれた真空吸引機で、該集塵ボックス２４と前記ペレット戻管２１とがホース２７によって繋がれている。このため該真空吸引機２５を作動させることによりペレット戻管２１内の塵芥が該集塵ボックス２４に真空吸引されるようにしている。
【００１３】
前記揚送筒４の上部に棚部材３０が固設され、該棚部材３０は、図７に示すように揚送筒４の外周に固着されるリング体３１ａの周囲に４枚の三角形状の支持板３１ｂ〜３１ｅを放射状に固着し、該支持板３１ｂ〜３１ｅ上に棚板３１ｆを該揚送筒４の周囲に略均等に張り出すように水平に固着してなり、該棚板３１ｆ上に図６に示したように上部タンク５を水平に支持する。該棚板３１ｆには、図８に示したように、揚送筒４が貫通する丸孔３２と前記ペレット戻管２１が貫通する角形の透孔３３と前記オーバーフロー管２２が貫通する角形の透孔３４が形成される。
【００１４】
上部タンク５は、図６に示したように、縦長立方形の箱体３５の内部に一対の仕切板３６ａ，３６ｂを両側縁に向けて下傾する山形に張設することにより貯留室３７を形成するとともに、該貯留室３７の下部に一対の床板３８ａ，３８ｂを中央線に向けて下傾する谷形に張設することにより溢出室３９を形成し、該貯留室３７および溢出室３９の奥部に該仕切板３６ａ，３６ｂおよび床板３８ａ，３８ｂを貫通する平面長方形状の縦筒４０を配設し、該縦筒４０内に前記揚送筒４を貫通し、該揚送筒４の上端部に軸受部材４１を固設し、該軸受部材４１により支持された回転軸４２に前記螺旋状回転体８の上端部を固着している。そして、該回転軸４２がカバー４３内に設けられた伝動チェーンを介してモータ４４により駆動されることで前記螺旋状回転体８が所定方向に回転駆動されるようにしている。
【００１５】
また、図１１に示したように、揚送筒４の上端開口部４ａの周囲にパチンコ球ｔと研磨ペレットｐとを分別するフィルタ装置４５を設けている。該フィルタ装置４５は揚送筒４の上端開口部の周囲を囲う鋼板製の包囲体４６を設け、該包囲体４６の内側にスノコ４７ａ〜４７ｅを球落下部４９に向けて下傾状に配設している。即ち、揚送筒４の上端開口部の周囲に揚送筒４が貫通するスノコ４７ａを設け、該スノコ４７ａの両側にスノコ４７ｂ，４７ｃを設け、該スノコ４７ｂ，４７ｃの外側に前方に向けて傾斜する傾斜板４８ａ，４８ｂを設け、該傾斜板４８ａ，４８ｂの前部に内方に向けて傾斜する傾斜板４８ｃ，４８ｄを設け、該傾斜板４８ｃ，４８ｄの内方部にスノコ４７ｄ，４７ｅを設け、該スノコ４７ｄ，４７ｅの間に前記貯留室３７と連通する球落下部４９を設けている。なお、該包囲体４６の底面は前記縦筒４０内に向けて下傾する漏斗状に形成されている。そして、該縦筒４０の底部は前記ペレット戻管２１と連通する。
【００１６】
また、貯留室３７内であって縦筒４０の前面に鉛直に溢出筒５０を設け、該溢出筒５０の上端部前面に溢出口５１を開設するとともに該溢出筒５０の下端部５２を前記仕切板３６ａ，３６ｂに貫通し前記溢出室３９内に開口させている。
なお、貯留室３７の両側板であって前記仕切板３６ａ，３６ｂの直上に前記傾斜樋６ａ，６ｂへ連なる流出口５２ａ，５２ｂを開設し、図１，図２に示したように該流出口５２ａ，５２ｂの外側面に集球ボックス５３ａ，５３ｂを固着するとともに、該集球ボックス５３ａ，５３ｂの下部に整流器５４ａ，５４ｂを設け、該整流器５４ａ，５４ｂを通過したパチンコ球が傾斜樋６ａ，６ｂに流されるようにしている。
また、５５は図示しない隣り合うパチンコ島台にパチンコ球を送給する交流樋（図示せず）を接続するために箱体３５の前側板に貯留室３７と連通するように開設された接続口、５６は同じく隣り合うパチンコ島台からパチンコ球の補給を受けるための交流樋を接続するために箱体３５の前側板に溢出室３９と連通するように開設された接続口である。
なお、前記溢出室３９における床板３８ａ，３８ｂ間に流出口５７が開設され、該流出口５７に前記オーバーフロー管２２の上端部が連接される。
【００１７】
このように構成したパチンコ球揚送装置では、貯留タンク２ａ，２ｂ中のパチンコ球ｔが傾斜樋３ａ，３ｂを通して流込筺１５ａ，１５ｂに導かれて横送筒９に流入し、ペレットタンク２０から該横送筒９内に研磨ペレットｐが供給されることで該研磨ペレットｐとパチンコ球ｔとが該横送筒９内にて混合される。そして螺旋状回転体１４が所定方向に回転駆動されることで該パチンコ球ｔは研磨ペレットｐとともに揚送筒４の方向に搬送され、該揚送筒４内の螺旋状回転体８が所定方向に回転駆動されることにより、該パチンコ球ｔは該研磨ペレットｐと一緒に揚送され、この揚送時にパチンコ球ｔが研磨ペレットｐと接触することによりパチンコ球ｔが研磨される。そして揚送筒４の上端開口部４ａから排出された研磨ペレットｐはスノコ４７ａ〜４７ｅから縦筒４０内に落下しペレット戻管２１を経て前記ペレットタンク２０に戻される。一方、揚送筒４の上端開口部４ａから排出されたパチンコ球ｔは図１１に矢印で示したようにスノコ４７ａ〜４７ｅ上を滑落して球落下部４９に至り貯留室３７に流落する。このように球落下部４９は貯留室３７の真中に位置し、該貯留室３７の床である仕切板３６ａ，３６ｂは山形に張設されているので、該球落下部４９から流落したパチンコ球ｔは左右に略々均等に分流し、左右のバランスを崩すことなく該貯留室３７内に均一に貯留される。このため、揚送されたパチンコ球は揚送筒４を中心とする周囲に満遍なく分散して貯留され、該貯留室３７に貯留されたパチンコ球は前記流出口５２ａ，５２ｂから排出され傾斜樋６ａ，６ｂを経て多数のパチンコ機に送給される。また、前記溢出口５１の高さ以上に該貯留室３７に多数のパチンコ球が貯留された場合は、該パチンコ球は溢出筒５０を通って溢出室３９に落下し、前記流出口５７からオーバーフロー管２２、変向ボックス２３、傾斜樋２３ａを経て前記貯留タンク２ａに流下する。
【００１８】
なお、このように上部タンク５の底部中心位置に流出口５７が形成され、該流出口５７に連接されたオーバーフロー管２２を前記棚部材３０に開設された透孔３４に貫通させたので、たとえ該オーバーフロー管２２にパチンコ球が集中しても、パチンコ球の荷重が片寄ることなく常に揚送筒４によって支持されバランスが維持される。
【００１９】
このように本発明に係るパチンコ球揚送装置は、揚送筒４により揚送されたパチンコ球が上部タンク５内で揚送筒４を中心とする周囲に満遍なく貯留され、該パチンコ球の荷重が常に該揚送筒４に掛かるようにしている。このため、上部タンク５内に多数のパチンコ球が貯留されてもその大荷重がパチンコ島台に掛かることがない。従って、パチンコ島台を従来のように補強して頑強な構造にする必要がなく、パチンコ島台の築造コストが軽減されるとともに所要工事期間を短縮することができる。また、このように本発明に係るパチンコ球揚送装置は、パチンコ島台に重量負担を掛けることなく設置されるので、島台の構造と拘わりなく装置を設置、或いは交換することができ、メンテナンスも容易になるなど顕著な効果がある。
【符号の説明】
【００２０】
１                パチンコ球揚送装置
２ａ，２ｂ        貯留タンク
４                揚送筒
４ａ              上端開口部
５                上部タンク
７                剛性フレーム
８                螺旋状回転体
２１              ペレット戻管
２２              オーバーフロー管
３０              棚部材
３１ｂ〜３１ｅ    支持板
３１ｆ            棚板
３４              透孔
３５              箱体
３６ａ，３６ｂ    仕切板
３７              貯留室
３８ａ，３８ｂ    床板
３９              溢出室
４５              フィルタ装置
４７ａ〜４７ｅ    スノコ
４９              球落下部
５７              流出口
ｔ                パチンコ球
ｐ                研磨ペレット
【図１】
0006716066.tif 000002
【図２】
0006716066.tif 000003
【図３】
0006716066.tif 000004
【図４】
0006716066.tif 000005
【図５】
0006716066.tif 000006
【図６】
0006716066.tif 000007
【図７】
0006716066.tif 000008
【図８】
0006716066.tif 000009
【図９】
0006716066.tif 000010
【図１０】
0006716066.tif 000011
【図１１】
0006716066.tif 000012
【図１２】
0006716066.tif 000013